(57)【特許請求の範囲】
【請求項１】
樋本体の一側に係合部を備えた樋を建屋に取り付けるための樋取付け具であって、
木ねじ等の杆固定具の杆部分が挿通する貫通孔が開けられていて樋側に前記樋の係合部に弾発係合する係止片を設けた構成を有する樋係着部材と、
前記樋係着部材が樋側の面に重合するように形成された重合面部の建屋側の面に、前記杆固定具の杆部分が挿通する貫通孔を内部に有する筒状の杆支持部を突設した構成を有する杆支持部材と、
被覆面部の樋側に当該被覆面部の周縁から側面部を垂下させて前記杆支持部材が嵌まる凹所を設けると共に、被覆面部の建屋側に前記杆支持部が挿通する杆支持部挿通孔を内部に有する支持台座部を設けた構成を有するカバー部材とを有し、
前記樋係着部材を前記杆支持部材の重合面部に重ねて樋係着部材の係止片を樋の係合部に弾発係合させる一方、前記杆支持部を前記カバー部材の杆支持部挿通孔に挿通し、カバー部材の凹所に杆支持部材を嵌め入れてカバー部材が樋係着部材を被覆することにより、カバー部材の側面部で前記弾発係合を保持し得るように構成してなる樋取付け具。
【請求項２】
樋本体の一側に係合部を備えた樋を建屋に取り付けるための樋取付け具であって、
木ねじ等の杆固定具の杆部分が挿通する貫通孔が開けられていて、樋側に前記樋の係合部に弾発係合する係止片を設け、建屋側に前記杆固定具の杆部分が挿通する貫通孔を内部に有する筒状の杆支持部を突設した構成を有する樋係着杆支持部材と、
被覆面部の樋側に当該被覆面部の周縁から側面部を垂下させて前記樋係着杆支持部材が嵌まる凹所を設けると共に、被覆面部の建屋側に前記杆支持部が挿通する杆支持部挿通孔を内部に有する支持台座部を設けた構成を有するカバー部材を有し、
前記樋係着杆支持部材の係止片を樋の係合部に弾発係合させる一方、前記杆支持部を前記カバー部材の杆支持部挿通孔に挿通し、カバー部材の凹所に樋係着杆支持部材を嵌め入れてカバー部材が樋係着杆支持部を被覆することにより、カバー部材の側面部で前記弾発係合を保持し得るように構成してなる樋取付け具。
【請求項３】
支持台座部に水切りを形成してなる請求項１又は２に記載の樋取付け具。
【発明の詳細な説明】
【０００１】
【発明の属する技術の分野】
本発明は、樋、特に樋本体の一側に係合部を備えた樋を建屋に取り付けるための樋取付け具に関する。
【０００２】
【従来の技術】
従来の竪樋の取付けは、環状枠の一部を切離し、この切離した端部を折曲して建屋側に延設し、さらにこの端部を建屋壁面に沿うように折曲して挿通孔を設けた固着片を形成してなる竪樋抱持具（いわゆる「でんでん」）を用いて行うのが一般的であり、この竪樋抱持具の環状枠で竪樋の外周を囲み、固着片の孔を通して釘などの杆固定具を建屋壁面に打ち込み、竪樋を抱持固定するように取り付けていた。
ところが、このように竪樋抱持具を用いて竪樋を取付けた場合、竪樋抱持具が屋外側に露出するため建屋の美観を損なうという問題があった。
【０００３】
そこで、最近では、例えば実開昭６３−９６１３５号などに開示されているように、樋の建屋壁面側に係合構造を設けておき、この係合構造と係合可能な係合部を備え、先端部を釘状に打ち込み可能に形成してなる樋受け金具を建屋に打ち込んで固定し、この固定した樋受け金具に竪樋を係合させて固定するようにして、表側からは取付け構造が見えないように樋を取り付ける構造のものも多く見られるようになってきた。
【０００４】
【発明が解決しようとする課題】
しかし、従来のこの種の樋取付構造の多くは、樋受け金具に竪樋を係合させる作業が面倒であったほか、樋受け金具を建屋に打ち込んで固定するものであったため樋受け金具と樋との係合部分や打ち込んだ樋受け金具自身がぐらついて樋の固定状態を安定させにくく、台風などで樋に強い力が加わると外れるおそれもあった。
また、樋の外側を伝って流下してきた雨水が樋受け金具を介して建屋壁面に伝わり、建屋壁面の変色や腐食を促進するという問題もあった。
【０００５】
そこで本発明は、従来の樋の取付け構造が抱えていた課題を解決すべく、樋を容易に建屋に取り付けることができることはもちろん、樋を建屋にしっかり安定した状態に固定することができ、更には樋の外側を伝って流下してきた雨水を建屋壁面に伝えない樋取付け具を提供せんとするものである。
【０００６】
【課題を解決するための手段】
かかる課題解決のために、本発明は、樋本体の一側に係合部を備えた樋を建屋に取り付けるための樋取付け具であって、木ねじ等の杆固定具の杆部分が挿通する貫通孔が開けられていて樋側に前記樋の係合部に弾発係合する係止片を設けた構成を有する樋係着部材と、前記樋係着部材が樋側の面に重合するように形成された重合面部の建屋側の面に、前記杆固定具の杆部分が挿通する貫通孔を内部に有する筒状の杆支持部を突設した構成を有する杆支持部材と、被覆面部の樋側に当該被覆面部の周縁から側面部を垂下させて前記杆支持部材が嵌まる凹所を設けると共に、被覆面部の建屋側に前記杆支持部が挿通する杆支持部挿通孔を内部に有する支持台座部を設けた構成を有するカバー部材とを有し、前記樋係着部材を前記杆支持部材の重合面部に重ねて樋係着部材の係止片を樋の係合部に弾発係合させる一方、前記杆支持部を前記カバー部材の杆支持部挿通孔に挿通し、カバー部材の凹所に杆支持部材を嵌め入れてカバー部材が樋係着部材を被覆することにより、カバー部材の側面部で前記弾発係合を保持し得るように樋取付け具を構成することとした。
【０００７】
また、本発明は、上記の樋係着部材と杆支持部材とを一体に形成することにより、木ねじ等の杆固定具の杆部分が挿通する貫通孔が開けられていて、樋側に前記樋の係合部に弾発係合する係止片を設け、建屋側に前記杆固定具の杆部分が挿通する貫通孔を内部に有する筒状の杆支持部を突設した構成を有する樋係着杆支持部材と、被覆面部の樋側に当該被覆面部の周縁から側面部を垂下させて前記樋係着杆支持部材が嵌まる凹所を設けると共に、被覆面部の建屋側に前記杆支持部が挿通する杆支持部挿通孔を内部に有する支持台座部を設けた構成を有するカバー部材を有し、前記樋係着杆支持部材の係止片を樋の係合部に弾発係合させる一方、前記杆支持部を前記カバー部材の杆支持部挿通孔に挿通し、カバー部材の凹所に樋係着杆支持部材を嵌め入れてカバー部材が樋係着杆支持部を被覆することにより、カバー部材の側面部で前記弾発係合を保持し得るように樋取付け具を構成することとした。
【０００８】
上記構成の樋取付け具によれば、杆固定具を用いて樋取付け具を建屋に固定し、かかる樋取付け具の係止片に係合部を弾発係合させることにより簡単に樋を建屋に取り付けることができる。しかも、取付け状態においては杆固定具の杆部分は杆支持部で支持され、更にはカバー部材の側面部が弾発係合が外れないように保持するように構成されてるから、杆固定具のぐらつきや杆固定具と樋取付け具との間のぐらつきなどが防止され樋を建屋にしっかり安定した状態に固定することができる。
【０００９】
上記構成において支持台座部に水切りを形成するのが好ましい。樋を伝って流下してきた雨水をこの水切りで強制的に落下させることにより建屋壁面に雨水を伝えないようにすることができ、雨水による建屋壁面の変色や腐食を防ぐことができる。
【００１０】
【発明の実施の形態】
以下、発明の実施の形態を、実施例に基づいて説明する。
【００１１】
本例の樋取付け具１は、建屋壁面側に図１に示すような係合構造を備えた竪樋５０用の取付け具である。この竪樋５０は、長尺な円筒状の樋本体５１の建屋壁面Ｘ側にその長手方向に沿って突条係止リブ５２、５２を適宜間隔をおいて並設して係合溝部５３を形成している。各突条係止リブ５２は、樋本体５１の外周面から建屋壁面Ｘ側に突出し、突出先端部に矢印状外向きに膨出した外向き係止部５４を形成してなっており、対向する突条係止リブ５２、５２は弾性的に開閉可能に形成されている。
【００１２】
樋取付け具１は、図１に示すように、竪樋５０と係着する「樋係着部材２」と、この樋係着部材２の建屋壁面側に装着する「杆支持部材３」と、これら樋係着部材２及び杆支持部材３の外側を被覆し得る「カバー部材４」と、前記杆支持部材３の建屋壁面側に装着し、竪樋５０の出入りを調整する「出入り調整部材５」とを組み付けるように構成してあり、木ねじ、ビスやアンカーボルトなどの「杆固定具６０」すなわち杆部分６０ａにねじ溝６０ｂが形成され、杆部分６０ａの基端部にねじ頭６０ｃが形成されてなる杆固定具６０によって建屋壁面Ｘに固定し得るようにしてある。
【００１３】
すなわち、「樋係着部材２」は、図２及び図３に示すように、適宜厚さの矩形状金属板材を折曲して形成してあり、上記係合溝部５３の溝幅すなわち突条係止リブ５２、５２の間隔と同じか若しくは若干狭い短手幅を有する長方形状からなり、上記係合溝部５３と対面する上面平坦面部６ａの長手辺両側に連設して上面傾斜面部６ｂ、６ｂを形成し、これら上面傾斜面部６ｂ、６ｂの側縁から垂下側面部６ｃ、６ｃを垂下形成すると共に、垂下側面部６ｃ、６ｃの下端部を内側に適宜傾斜角をもって折り返して弾発係止片６ｄ、６ｄを形成し、更に前記上面平坦面部６ａの中央部に貫通孔７を設けて形成してある。
【００１４】
「杆支持部材３」は、上記樋係着部材２の上面平坦面部６ａ及び上面傾斜面部６ｂ、６ｂにぴったりと重なるようにこれらとほぼ同大同形状の重合面部を上面平坦面部１０ａと上面傾斜面部１０ｂ、１０ｂとで形成し、当該上面中央部１０ａの短手両側辺から係合片１１、１１を垂下形成すると共に、上面中央部１０ａの中央部に円筒状の杆支持部１２を立設して形成してあり、杆支持部１２の内部には、杆固定具６０の杆部分６０ａの径より若干大きな径の貫通孔１３を形成してある。
【００１５】
ここで、上記係合片１１、１１は、竪樋５０の係合溝部５３の溝幅すなわち突条係止リブ５２、５２の間隔と同じか若しくは若干狭い幅に設定して形成してあり、係合溝部５３内に挿入すると当該係合溝部５３の溝側面と係合し得るように形成してある。
また、図３に示すように、上記貫通孔１３の建屋壁面側端部は孔長さ方向に適宜幅にわたって径大に形成してあり、この部分すなわち杆支持部１２の建屋壁面側端部に出入り調整部材５の支持管部３０を挿入し得る装着部１４を形成してある。
【００１６】
「カバー部材４」は、上記杆支持部材３の重合面部を被覆し得る被覆面部２０の周縁部から側面部２１ａ、２１ａ、２１ｂ、２１ｂを垂下形成して、被覆面部２０の一側に杆支持部材３が嵌まる凹所を設け、一対の対向する側面部２１ａ、２１ａの下端部２２を樋本体５１の外周面５１ａに沿って湾曲形成して樋本体５１の外周面に沿った当接面とすると共に、下端部２２から竪樋５０の突条係止リブ５２、５２の輪郭に沿った係合溝２３、２３を切除形成し、側面部２１ａ、２１ａにおけるこの係合溝２３、２３の側面部２１ｂ、２１ｂ側部分を弾性変形可能な挟持片２４、２４とし、他方の側面部２１ｂ、２１ｂの下端部に凹部状の間隙部２５、２５を切除形成し、更に被覆面部２０の他側の中央部に前記杆支持部１２を挿通し得る杆支持部挿通孔２６を内部に設けてなる支持台座部２７を設けて形成してある。この支持台座部２７には、その建屋壁面側端縁部に沿って水切り用の環状鍔部２８を形成してある。
【００１７】
「出入り調整部材５」は、円筒状の支持管部３０の建屋壁面側端部に環板状の台座部３１を形成してあり、支持管部３０の内部には杆固定具６０の杆部分６０ａを挿通し得る杆挿通孔３２を形成してある。
【００１８】
上記構成からなる樋取付け具１を用いて竪樋５０を取り付けるには、先ず、    図４（Ａ）に示すように、樋係着部材２の上面に杆支持部材３の重合面部の樋側の面に重ね、次いで杆支持部材３の杆支持部１２を杆支持部挿通孔２６内に挿通させてカバー部材４を組み付け、更に装着部１４内に支持管部３０を挿入して出入り調整部材５を装着し、このようにして樋係着部材２、杆支持部材３、カバー部材４及び出入り調整部材５を組み付け、次いで樋側から杆固定具６０の杆部分６０ａを貫通孔７、１３、及び杆挿通孔３２に挿通させて当該杆部分６０ａ先端部が出入り調整部材５から突出した状態にセットする。
【００１９】
そして、このようなセット状態にしておいて、杆固定具６０を建屋壁面Ｘの所定個所にねじ入れるなどして打ち込み、建屋壁面Ｘの垂直上下方向に適宜間隔をおいて順に樋取付け具１、１・・を取付固定していく。この時、杆固定具６０の杆部分６０ａは貫通孔７、１３、及び杆挿通孔３２で支持され真っ直ぐに保持されるから、容易かつ正確に杆固定具６０の打ち込みを行なうことができる。
【００２０】
次に、図４（Ｂ）に示すように、上記の如く建屋壁面Ｘに固定した樋係着部材２の弾発係止片６ｄ、６ｄに樋本体５１の突条係止リブ５２、５２を弾発係合させた後、カバー部材４の、被覆面部２０及び側面部２１ａ、２１ａ、２１ｂ、２１ｂにより形成された凹所内に杆支持部材３を嵌め入れて、樋係着部材２及び杆支持部材３を被覆するように係合固定すれば、図４（Ｃ）及び図３に示すように、竪樋５０を建屋壁面Ｘに取付け固定できる。
【００２１】
このように竪樋５０を取付け固定した状態では、図３及び図４（Ｃ）に示すように、杆固定具６０の杆部分６０ａは貫通孔７、１３、及び杆挿通孔３２で支持されるから、杆固定具６０のぐらつき、及び杆固定具６０と樋取付け具１との間のぐらつきが抑制され、竪樋５０を建屋にしっかり安定した状態に固定することができる。
しかも、カバー部材４の側面２１ｂ、２１ｂが樋係着部材２の垂下側面部６ｂ，６ｂ及び弾発係止片６ｄ、６ｄの外側を被覆して突条係止リブ５２、５２と弾発係止片６ｄ、６ｄとの弾発係合が外れないように保持しているから、たとえ台風などの強力な力が竪樋５０に加わっても竪樋５０が外れることもない。
【００２２】
さらに、樋係着部材２の上面平坦面部６ａ及び上面傾斜面部６ｂ，６ｂと、杆支持部材３の上面平坦面部１０ａ及び上面傾斜面部１０ｂ，１０ｂとがそれぞれ重なって水平方向に係止し合うばかりか、杆支持部材３の係合片１１、１１が係合溝部５３と係合し、更には係合片１１、１１が樋係着部材２の上面平坦面部６ａの上下両側縁部と垂直方向に係合し合うように構成されているから、竪樋５０を一層しっかり安定した状態に固定することができる。
またさらに、出入り調整部材５の台座部３１を建屋壁面Ｘに圧着させることによって樋取付け具１のがたつきを一層抑制することができ、竪樋５０をより一層しっかり安定した状態に固定することができる。
【００２３】
また、図５に示すように、カバー部材４の支持台座部２７にはその建屋壁面側端部に水切り用の鍔部２８を形成してあり、竪樋５０を伝って流下してきた雨水をこの鍔部２８で強制的に落下させて建屋壁面Ｘにまで伝えないようになっているから、このような雨水による建屋壁面Ｘの変色及び腐食を防止することができる。
【００２４】
更にまた、図１に示すように、上記出入り調整部材５を支持管部３０の長さの異なる出入り調整部材５Ａに取り替えることにより、竪樋５０と建屋壁面Ｘとの距離すなわち竪樋５０の出入り調整することができる。よって、支持管部３０の長さの異なる各種の出入り調整部材５、５Ａ・・を用意することにより、これを取り替えるだけで竪樋５０の建屋壁面Ｘからの出入を自在に調整することができる。
【００２５】
なお、竪樋５０を樋取付け具１から取り外す必要が生じた場合には、カバー部材４に設けた間隙部２５にドライバー等の先端部を差し込んでこじることにより挟持片２４を撓ませて竪樋５０を樋取付け具１から簡単に取り外すことができる。
【図面の簡単な説明】
【図１】竪樋と本発明の一実施例に係る樋取付け具の分解状態を示した斜視図である。
【図２】図１に示した樋取付け具の分解斜視図である。
【図３】図１の樋取付け具を用いた竪樋の取付け状態の一例を示した横断面図である。
【図４】図１の樋取付け具を用いて竪樋を取付ける工程を示した斜視図である。
【図５】竪樋を伝って流れる雨水の経路を示した縦断面図である。
【符号の説明】
１ 樋取付け具、２ 樋係着部材、３ 杆支持部材、４ カバー部材、５ 出入り調整部材、７ 貫通孔、１１ 係合片、１２ 杆支持部、１３ 貫通孔、１４ 装着部、２０ 被覆面部、２１ａ、２１ｂ 側面部、２２ 下端部、２３ 係合溝、２４ 挟持片、２５ 間隙部、２６ 杆支持部挿通孔、２７ 支持台座部、２８ 鍔部、３０ 支持管部、３１ 台座部、３２ 杆挿通孔、Ｘ 建屋壁面、５０ 竪樋、５２ 突条係止リブ、６０ 杆固定具、６０ａ 杆部分
【図１】
0003768716.tif 000002
【図２】
0003768716.tif 000003
【図３】
0003768716.tif 000004
【図４】
0003768716.tif 000005
【図５】
0003768716.tif 000006